(57)【要約】【課題】災害時に確実に給水することのできる地下水活用装置を提供すること。【解決手段】井戸ポンプによって深井戸２１から原水槽３に地下水を汲上げる汲上部２と、原水槽３の水を濾過する濾過部４とを備える地下水活用装置１であって、汲上部２は単相１００Ｖ電源で動作し、濾過部４は三相２００Ｖ電源で動作するものを提供する。複数の深井戸２１から地下水を汲上げることで、各々の井戸ポンプ２２の電力が小さくても十分な水量を提供することができる。また、プラグインハイブリッドカーから低電圧電源を供給することで、災害発生当初から給水が可能となる。【選択図】図１
0003200591.tif 000002
【実用新案登録請求の範囲】
【請求項１】
井戸ポンプによって深井戸から原水槽に地下水を汲上げる汲上部と、前記原水槽の水を濾過する濾過部とを備える地下水活用装置であって、
前記汲上部は、単相１００Ｖ電源で動作し、
前記濾過部は、三相２００Ｖ電源で動作することを特徴とする、地下水活用装置。
【請求項２】
前記汲上部は、複数の前記深井戸から地下水を汲上げることを特徴とする、請求項１に記載の地下水活用装置。
【請求項３】
前記井戸ポンプは、前記深井戸１つ当たり３００Ｗ以下の電力で動作することを特徴とする、請求項１又は２に記載の地下水活用装置。
【請求項４】
前記単相１００Ｖを供給する電源制御器を備え、
前記電源制御器は、外部電源からの電力を前記単相１００Ｖとして供給することを特徴とする、請求項１〜３のいずれか一項に記載の地下水活用装置。
【請求項５】
前記外部電源は、プラグインハイブリッドカーから供給されるものであることを特徴とする、請求項４に記載の地下水活用装置。
【考案の詳細な説明】
【技術分野】
【０００１】
本考案は、地下水を汲上げて活用する地下水活用装置に関する。
【背景技術】
【０００２】
地下水を汲上げ、濾過して飲料水として活用する装置が、特許文献１及び２に開示されたように、広く知られている。これらの装置は、地下水を汲上げて水槽（原水槽）に流入させる汲上部と、原水槽の水を濾過する濾過部とを備える。
【０００３】
装置を駆動させるためには電力を用いるが、我が国で広く用いられる１００Ｖの交流電力では濾過部の動作が不十分であり、２００Ｖの三相交流を電力として用いていた。汲上部は１００Ｖの交流電力でも動作し得るが、濾過部に合わせて２００Ｖの三相交流が用いられていた。
【０００４】
ここで、地震等の大規模災害に当たって地下水を汲上げて給水することについて検討する。災害によって電力の供給も水道の供給も断絶するが、復旧が最も急がれるのは、水道である。ただし、身体洗浄等に用いられる水も多く、飲用に適するまでの濾過は必ずしも必要でない。
【０００５】
地下の水道管よりも地上の電線のほうが復旧容易であると考えられ、１００Ｖの交流電力が最初に復旧する可能性が高い。また、プラグインハイブリッドカー等を活用して災害発生直後から１００Ｖの電源を得ることができる。しかし、従来は１００Ｖの電源によって水を供給する装置は知られていなかった。
【先行技術文献】
【特許文献】
【０００６】
【特許文献１】特開２００１−３２１７７７号公報
【特許文献２】特開２００３−１９０９３６号公報
【考案の概要】
【考案が解決しようとする課題】
【０００７】
本考案は、災害時に確実に給水することのできる地下水活用装置を提供することを課題とする。
【課題を解決するための手段】
【０００８】
本考案の地下水活用装置は、
井戸ポンプによって深井戸から原水槽に地下水を汲上げる汲上部と、前記原水槽の水を濾過する濾過部とを備える地下水活用装置であって、
前記汲上部は、単相１００Ｖ電源で動作し、
前記濾過部は、三相２００Ｖ電源で動作することを特徴とする。
【０００９】
この特徴によれば、単相１００Ｖ電源で動作する汲上部を災害発生後早期に利用することができる。
【００１０】
本考案の地下水活用装置は、
前記汲上部は、複数の前記深井戸から地下水を汲上げることを特徴とする。
【００１１】
この特徴によれば、各々の井戸ポンプを小さな電力で動作させても、十分な水量を供給することができる。
【００１２】
本考案の地下水活用装置は、
前記井戸ポンプは、前記深井戸１つ当たり３００Ｗ以下の電力で動作することを特徴とする。
【００１３】
この特徴によれば、小さな規模で幅広く使用される井戸ポンプを活用することができる。
【００１４】
本考案の地下水活用装置は、
前記単相１００Ｖを供給する電源制御器を備え、
前記電源制御器は、外部電源からの電力を前記低電圧として供給することを特徴とする。
【００１５】
この特徴によれば、災害直後の停電時にも給水が可能である。
【００１６】
本考案の地下水活用装置は、
前記外部電源は、プラグインハイブリッドカーから供給されるものであることを特徴とする。
【００１７】
この特徴によれば、災害時の給電を確保することができる。
【考案の効果】
【００１８】
本考案の地下水活用装置によれば、災害時に確実に給水することができる。
【図面の簡単な説明】
【００１９】
【図１】図１は、地下水活用装置の構成を示す図である。
【図２】図２は、地下水活用装置の設置例を示す図である。
【考案を実施するための形態】
【００２０】
本考案の実施例について説明する。
【実施例１】
【００２１】
図１は、地下水活用装置の構成を示す図である。地下水活用装置１は、汲上部２、原水槽３、濾過部４及び電源制御器５を備えている。
【００２２】
汲上部２は、複数（図では１０であるが、２以上の任意の数で設計してよい）の深井戸２１に、井戸ポンプ２２を設けたものである。井戸ポンプ２２によって汲上げられた水が原水槽３に流入する。
【００２３】
濾過部４は、砂濾過塔４１、活性炭塔４２、膜ユニット４３、処理水塔４４を備え、原水槽３の水をこの順に流して（ポンプ４５による）濾過処理を行う。従来技術と同様であり、詳細な説明を省略する。
【００２４】
電源制御器５は、２００Ｖの三相交流電力又は１００Ｖの交流電力によって動作し、汲上部２及び濾過部４に電力を供給する。商用電力の供給がない場合には外部電源５１を用いることができる。汲上部２へは低電圧線５２を介して１００Ｖの交流電力を、濾過部４へは高電圧線５３を介して２００Ｖの三相交流電力を供給する。
【００２５】
以下、災害時における地下水活用装置１の活用について説明する。
【００２６】
災害が発生し、電気及び水道の供給が停止したとする。自家発電装置、プラグインハイブリッドカー等を外部電源５１として活用し、電流制御器５から井戸ポンプ２２に電源を供給することができる、本実施例ではプラグインハイブリッドカーを外部電源５１とする。
【００２７】
プラグインハイブリッドカーからは、単相１００Ｖの交流電力が１５００Ｗまで供給される。各々の井戸ポンプ２２は３００Ｗの電力で動作するものとする。１台のプラグインハイブリッドカーにより、５台の井戸ポンプ２２を動作させることができる。
【００２８】
３００Ｗの電力で動作する小型の井戸ポンプ２２であっても、１時間当たり１，５００リットル程度の揚水が可能である。５台の井戸ポンプにより、７，５００リットル／時間の揚水を行うことで、１００人程度の者の生活衛生用水の供給が可能である。むろん、２台のプラグインハイブリッドカーを外部電源５１として活用し、３、０００リットル／時間の揚水も可能である。
【００２９】
プラグインハイブリッドカーは、ガソリンを満タンにしておくと、内部電源とガソリンによる発電とで、１５００Ｗの電力を１０日程度供給することができる。家庭用の１００Ｖ交流電源が１０日以内に復旧するのであれば、それまでの間の生活衛生水の供給を行うことができる。
【００３０】
電流制御部５は、外部電源５１からの電力の全てを、単相１００Ｖ配線５２を介して井戸ポンプ２２に供給する。三相２００Ｖ配線５３を介して濾過部４に供給すること（昇圧して三相交流を発生させること）は行わない。原水槽３に汲上げられた水のうち、飲用に供する分については別途加熱消毒等を行う。
【００３１】
家庭用の１００Ｖ交流電源が復旧した後は、電流制御部は家庭用交流電源を外部電源５１として１０台の井戸ポンプ２２に電源を供給することができる。
【００３２】
以上詳細に説明したように、本実施例の地下水活用装置１によれば、災害発生時にプラグインハイブリッドカーを電源として家庭用の１００Ｖ交流電源が復旧する前であっても生活衛生水を確実に供給することができる。
【実施例２】
【００３３】
図２は、地下水活用装置の設置例を示す図である。実施例１に示した地下水活用装置１を設置した状態の写真である。
【００３４】
汲上部２（深井戸）、原水槽３及び濾過部４が整然と配され、小スペースで設置することができる。また、電源制御器５によって全体が制御される。    
【産業上の利用可能性】
【００３５】
災害時に確実に給水することができる地下水活用装置であり、多くの自治体等における利用が考えられる。
【符号の説明】
【００３６】
１      地下水活用装置
２      汲上部
２１    深井戸
２２    井戸ポンプ
３      原水槽
４      濾過部
４１    砂濾過塔
４２    活性炭塔
４３    膜ユニット
４４    処理水塔
４５    ポンプ
５      電源制御器
５１    外部電源
５２    単相１００Ｖ線
５３    三相２００Ｖ線
【図１】
0003200591.tif 000003
【図２】
0003200591.tif 000004